(57)【要約】本発明は、特に暖房・換気・空調装置に使用するための、空気および類似の媒体を運搬するための導管、もしくは電気設備用管路としての導管において、該導管が、約３０〜８０ｍｍの内側の高さ（Ｈｉ）と約７０〜１５０ｍｍの内側の幅（Ｂｉ）とを有しており、その際、有利には、内側の高さ（Ｈｉ）が内側の幅（Ｂｉ）のほぼ半分より大きくなく、かつこの導管が、約４〜１０ｍｍの波高さ（Ｈｗ）と約５〜２０ｍｍの波長さ（Ｌｗ）とから成るほぼ正弦波形の壁（Ｗ）を有していることを特徴とする、導管に関する。
2004515740.tif 000002
【特許請求の範囲】
【請求項１】
特に暖房・換気・空調装置に使用するための、空気および類似の媒体を運搬するための導管、もしくは電気設備用管路としての導管において、
該導管が、約３０〜８０ｍｍの内側の高さ（Ｈｉ）と約７０〜１５０ｍｍの内側の幅（Ｂｉ）とを有しており、その際、有利には内側の高さ（Ｈｉ）が内側の幅（Ｂｉ）のほぼ半分より大きくなく、かつ前記導管が、約４〜１０ｍｍの波高さ（Ｈｗ）と約５〜２０ｍｍの波長さ（Ｌｗ）とから成るほぼ正弦波形の壁（Ｗ）を有していることを特徴とする、導管。
【請求項２】
導管（１）の肉厚さ（Ｓｗ）が約０．２〜２ｍｍである、請求項１記載の導管。
【請求項３】
壁（Ｗ）の外向きの波頭（２）が、ほぼ半円形を有している、請求項１または２記載の導管。
【請求項４】
内向きの波底（３）が、壁材の増強によって形成されている外向きの中間隆起部５の領域で、平滑な内側面４を有している、請求項１から３までのいずれか１項記載の導管。
【請求項５】
壁材が、有利には食品用パックに適したプラスチック、特に約０．８〜１．３ｇ／ｍ３の密度を有するポリエチレンまたはポリプロピレン・コポリマである、請求項１から４までのいずれか１項記載の導管。
【請求項６】
壁材が、１４５〜１９０℃のメルトフローインデックスを有している、請求項１から５までのいずれか１項記載の導管。
【請求項７】
壁材が、有利には食品用パックに適した防炎材を含有している、請求項１から６までのいずれか１項記載の導管。
【請求項８】
導管（１）が、扁平方形の横断面または扁平長円の横断面を有している、請求項１から７までのいずれか１項記載の導管。
【請求項９】
横断面が扁平長円である場合、その直線的な壁領域（Ｇ）の長さが、半円筒状の壁領域の直径にほぼ一致している、請求項１から８までのいずれか１項記載の導管。
【発明の詳細な説明】
【０００１】
本発明は、特に暖房・換気・空調装置に使用するための、空気および類似の媒体を運搬するための導管、もしくは電気設備用管路としての導管に関する。
【０００２】
この従来形式の導管は、しばしば、所要面積の点で使用できない場合があり、かつ／またはこれらの導管は、非直線的な敷設において、その内部を流れる媒体の圧力損失無しには組み付け困難であり、耐久力が無く、また重量が重く、そして事情によっては清掃することが困難である。
【０００３】
本発明の課題は、これらの欠点を有さない導管、つまり特に、比較的扁平に形成されながら、屈曲部においても、導管内の媒体の流れを妨げる圧力損失を有さずにフレキシブルに敷設され得て、かつ軽量で頑丈な導管を提案することである。
【０００４】
この課題は、冒頭で述べた形式の導管において、本発明により主に以下のように解決される。すなわち、導管は、約３０〜８０ｍｍの内側の高さと約７０〜１５０ｍｍの内側の幅とを有しており、その際、有利には、内側の高さが内側の幅のほぼ半分より大きくなく、かつ壁は、約４〜１０ｍｍの波高さと約５〜２０ｍｍの波長さとを有して、ほぼ正弦波形に形成されている。
【０００５】
その際、肉厚さは、有利には約０．２〜２ｍｍであるので、導管は安全に運搬可能であり、地下に埋設可能で、それどころかそこを通行することもできる。
【０００６】
壁の外向きの波頭は、本発明の特別な構成において、必要なフレキシビリティを保証するために、ほぼ半円状の形状をしている。
【０００７】
これに対して、内向きの波底は、壁材の補強部として形成されている外向きの中間隆起部の領域で、有利には平滑な内側面を有しているので、十分な強度を有していて良好に清掃可能であることが保証される。
【０００８】
さらに本発明により、壁材が、有利には食品用パックに適したプラスチック、特に約０．８〜１．３ｇ／ｍ３の密度を有するポリエチレンまたはポリプロピレン・コポリマ（Ｐｏｌｙｐｒｏｐｙｌｅｎ−Ｋｏｐｏｌｙｍｅｒ）であることが提案される。これにより、必要最小限の重量が保証され、そして必要な場所では、人間の健康への有害性が回避される。
【０００９】
形状安定性に関して熱負荷に十分耐え得るように、壁材は、約１４５〜１９０℃のメルトフローインデックス（Ｓｃｈｍｅｌｚｉｎｄｅｘ）を有しているべきである。
【００１０】
壁材が有利には食品用パックに適した防炎材を含有していると、別の利点が得られる。防炎材の含有割合に従って、この形式で、所定の防火規則のまたは防火規範の要求が満たされうる。
【００１１】
本発明による導管の横断面は、扁平方形であっても扁平長円であっても良い。後者の場合、直線的な壁領域は、半円筒状の壁領域の直径よりも大きくあるべきではない。
【００１２】
本発明のその他の目的、利点および利用可能性は、以下の、図面を用いた実施例の説明に記載されている。その際、記載され、かつ／または図示された全ての特徴は、単独でもまたは任意の組合せでも、個々の請求項の組合せまたはその引用関係とは無関係に、発明の対象を構成している。
【００１３】
図面
図１  本発明を有している導管の側面図である。
【００１４】
図２  図１の導管の端面を示す図である。
【００１５】
図３  図１の導管の平面図である。
【００１６】
図４  図３の導管の端面を示す図である。
【００１７】
図５  図３の部分Ｘの断面図である。
【００１８】
図示の導管１は、例えば、特に暖房・換気・空調装置に使用するための、空気および類似の媒体を運搬する働きをするか、または電気設備用管路として機能している。導管１の内側の高さＨｉは約３０〜８０ｍｍであり、その内側の幅Ｂｉは約７０〜１５０ｍｍである。有利には扁平な構成は、内側の高さＨｉが内側の幅Ｂｉのほぼ半分より大きくないことにより達成される。
【００１９】
導管１は、約４〜１０ｍｍの波高さＨｗと約５〜２０ｍｍの波長さＬｗとによって、ほぼ正弦波形に形成されている壁Ｗを有している。肉厚さＳｗは、約０．２〜２ｍｍであり、ここから外側の幅Ｂａおよび外側の高さＨａが導き出される。
【００２０】
図面、特に図３から分かるように、壁Ｗの外向きの波頭２は、ほぼ半円形の形状を有している。これに対して、内向きの波底３は、外向きの中間隆起部５の領域で、平滑な内側面４を備えて形成されている。中間隆起部５は、その領域の肉厚さＳｗを、その他の肉厚さＳｗの３〜４倍まで増大することによって形成されている。隆起部５の外側の表面は凸状に湾曲している。
【００２１】
導管１の壁材は、有利には食品用パックに適したプラスチック、特に０．８〜１．３ｇ／ｍ３の密度を有するポリエチレンまたはポリプロピレン・コポリマであり得る。この際、耐熱性の理由から、メルトフローインデックスは約１４５〜１９０℃の間に遵守されるべきである。さらに壁材は、同様に有利には食品用パックに適した防炎材を含有しており、この防炎材は、その含有量によって、異なる防火要求に適合され得る。
【００２２】
特に図２および図４から分かるように、図示の導管１は、本実施例において扁平長円形の横断面を有しており、この際、直線的な壁領域Ｇは、半円筒状の壁領域の直径よりもわずかに小さくあるべきである。
【図面の簡単な説明】
【図１】
本発明を有している導管の側面図である。
【図２】
図１の導管の端面を示す図である。
【図３】
図１の導管の平面図である。
【図４】
図３の導管の端面を示す図である。
【図５】
図３の部分Ｘの断面図である。
【符号の説明】
１  導管、  ２  外向きの波頭、  ３  内向きの波底、  ４  内側面、  ５  中間隆起部、
Ｂｉ  内側の幅、  Ｂａ  外側の幅、  Ｄ  直径、  Ｇ  直線的な壁領域、  Ｈａ  外側の高さ、  Ｈｉ  内側の高さ、  Ｈｗ  波の高さ、  Ｓｗ  肉厚さ、  Ｗ  壁
【図５】
2004515740.tif 000003
【国際公開パンフレット】
2004515740.tif 000004
2004515740.tif 000005
2004515740.tif 000006
2004515740.tif 000007
2004515740.tif 000008
2004515740.tif 000009
2004515740.tif 000010
2004515740.tif 000011
2004515740.tif 000012
2004515740.tif 000013
【国際調査報告】
2004515740.tif 000014
2004515740.tif 000015
2004515740.tif 000016
2004515740.tif 000017
2004515740.tif 000018
2004515740.tif 000019